(57)【要約】【課題】薄いインキによる印刷位置合わせマーク及びをこの印刷位置合わせマークを使用した印刷物を提供する。【解決手段】反射濃度が薄いインキで印刷される第一の図柄と、反射濃度が濃いインキで印刷される第二の図柄が印刷された印刷物において、第一の図柄と第二の図柄はそれぞれ、断裁仕上げマークの断ち落としエリア内に印刷される印刷位置合わせマークを有し、第一の図柄の印刷位置合わせマークは所定の面積を有するべた状に印刷された円形又は方形の形状を成し、第二の図柄の印刷位置合わせマークは第一の図柄と第二の図柄が正しい位置に印刷されたときに第一の図柄の印刷位置合わせマークの輪郭の少なくとも一部に重なるように形成される。【選択図】  図１
2014058065.tif 000002
【特許請求の範囲】
【請求項１】
反射濃度が薄いインキで印刷される第一の図柄と、反射濃度が濃いインキで印刷される第二の図柄が印刷された印刷物において、
第一の図柄と第二の図柄はそれぞれ、断裁仕上げマークの断ち落としエリア内に印刷される印刷位置合わせマークを有し、
第一の図柄の印刷位置合わせマークは所定の面積を有するべた状に印刷された円形又は方形の形状を成し、第二の図柄の印刷位置合わせマークは第一の図柄と第二の図柄が正しい位置に印刷されたときに第一の図柄の印刷位置合わせマークの輪郭の少なくとも一部に重なるように形成されることを特徴とする印刷位置合わせマーク。
【請求項２】
請求項１に記載の印刷位置合わせマークにおいて、
印刷物が第一の図柄を複数有する場合は、第一の図柄の印刷位置合わせマークと第二の図柄の印刷位置合わせマークの組合せを複数有することを特徴とする印刷位置合わせマーク。
【請求項３】
請求項１または２に記載の印刷位置合わせマークにおいて、
印刷物が第二の図柄を複数有する場合は、第二の図柄同士の印刷位置合わせマークを第一、第二の図柄の印刷位置合わせマークとは別に有し、第一の図柄の印刷位置合わせマークの近くに、互いに重ならないように形成されることを特徴とする印刷位置合わせマーク。
【請求項４】
請求項１〜３いずれかに記載の印刷位置合わせマークを使用した印刷物。
【発明の詳細な説明】
【技術分野】
【０００１】
本発明は、インキの色が薄いために細い罫線による印刷位置合わせマークでは目視による印刷位置合わせが難しい印刷物の印刷位置合わせマーク、および、この印刷位置合わせマークを使用した印刷物に関する。
【背景技術】
【０００２】
多色印刷を行なう場合、それぞれの色版に見当合わせ用マーク（以下、印刷位置合わせマークという）を付し、このマークを重ね合わせて印刷することによって多色印刷の印刷位置精度を目視で管理している。
多色印刷における前述の位置合わせマークは、同一面に印刷されるが、単色印刷における表面と裏面の位置精度の管理にも使用される。
図３に示すように、印刷位置合わせマークとして、従来から、左右の位置ずれが一目でわかる十字形の十字マーク３０や、Ｔ字マーク３００、電柱形の「キ字」マーク３０００（トンボなどとも呼ばれる）などが使用されている。
使用される位置合わせマークは、０．１ｍｍ程度の太さの罫線で印刷され、印刷物の断裁仕上げマークの断ち落としエリア内に表示されて使用される。
【０００３】
前述の十字マークや、Ｔ字マークの他に、パールインキなどの淡い色による印刷を行なう際の印刷位置精度管理のために、四角形、菱形、円形、楕円形、その他多角形の何れかの形状からなるべた柄からなり、内部に抜きの同心円線または同心正方形線を有する位置合わせ用マークと、十字線形状を含む通常の印刷位置合わせ用マークと、を併用して行い、この位置合わせ用マークを、枚葉用紙に割り付けられた仕上がり部分の左右に２個ずつ配置したパール調印刷物の印刷方法が提供されている（特許文献１参照）。
【先行技術文献】
【特許文献】
【０００４】
【特許文献１】特許第４３１９８０２号公報
【発明の概要】
【発明が解決しようとする課題】
【０００５】
特許文献１の発明による位置合わせマークでは、べた柄の内部に同心円線または同心正方形線を有する位置合わせ用マークと、十字線形状を含む通常の印刷位置合わせ用マークの抜きパターンとして使用するも、薄い濃度の印刷インキを使用する場合に「抜きパターン」部分を目視で位置合わせすることが難しい。
そこで本発明では、薄いインキによる印刷位置合わせマークを所定の面積を有し、べた状に印刷された円形又は方形の形状とし、濃いインキによる印刷位置合わせマークを、薄いインキによる印刷位置合わせマークの輪郭の少なくとも一部に重なるように形成する印刷位置合わせマーク及びをこの印刷位置合わせマークを使用した印刷物を提供することを目的とするものである。
【課題を解決するための手段】
【０００６】
前記課題の目的を達成するために本発明の印刷位置合わせマークの第一の態様は、反射濃度が薄いインキで印刷される第一の図柄と、反射濃度が濃いインキで印刷される第二の図柄が印刷された印刷物において、第一の図柄と第二の図柄はそれぞれ、断裁仕上げマークの断ち落としエリア内に印刷される印刷位置合わせマークを有し、  第一の図柄の印刷位置合わせマークは所定の面積を有するべた状に印刷された円形又は方形の形状を成し、第二の図柄の印刷位置合わせマークは第一の図柄と第二の図柄が正しい位置に印刷されたときに第一の図柄の印刷位置合わせマークの輪郭の少なくとも一部に重なるように形成されることを特徴とするものである。
【０００７】
また、第二の態様は、第一の態様において、印刷物が第一の図柄を複数有する場合は、第一の図柄の印刷位置合わせマークと第二の図柄の印刷位置合わせマークの組合せを複数有することを特徴とするものである。
【０００８】
また、第三の態様は、第一の態様において、印刷物が第二の図柄を複数有する場合は、第二の図柄同士の印刷位置合わせマークを第一、第二の図柄の印刷位置合わせマークとは別に有し、第一の図柄の印刷位置合わせマークの近くに、互いに重ならないように形成されることを特徴とするものである。
【０００９】
また、第四の態様は、第一から第三何れかの態様の印刷位置合わせマークを使用した印刷物である。
【発明の効果】
【００１０】
本発明の印刷位置合わせマークは、反射濃度が薄くて細い罫線による印刷位置合わせマークでは視認し難いインキが使用される印刷物に好適に使用される。
その結果、濃度が薄いインキで印刷される図柄と濃いインキで印刷される図柄で構成される印刷物を高い精度で位置合わせを行い、高品質の印刷物を得ることが可能となる。
【図面の簡単な説明】
【００１１】
【図１】本発明の印刷位置合わせマークおよびこれを使用した印刷物の一実施形態について説明するための図である。
【図２】本発明の印刷位置合わせマークの一例について説明するための図である。
【図３】従来の印刷位置合わせマークの一例について説明するための図である。
【発明を実施するための形態】
【００１２】
図１を参照して、本実施形態の印刷位置合わせマークおよびこれを使用した印刷物について説明する。
通常自然に存在する物体をカラー印刷で表現する場合は、黄、赤、青の三原色に黒を加えた四色で表現し、反射濃度の濃い部分は網点を大きくし、薄い部分は網点を小さくして濃淡を表現する。
したがって、本実施形態のような印刷位置合わせマークは必要としない。
本実施形態で、以下に説明するような印刷位置合わせマークは、イラストによる図柄で、反射濃度の薄いインキを単色で使用しなければならない場合に必要とされる。
【００１３】
本実施形態の印刷シート１には、反射濃度が薄いインキで印刷される第一の図柄１１と、反射濃度が濃いインキで印刷された第二の図柄１２が印刷される。
第一の図柄１１と第二の図柄１２はそれぞれ、印刷シート１の四隅に印刷されている断裁仕上げマーク４の断ち落としエリア内に、第一の図柄の印刷位置合わせマーク２１及び第二の図柄の印刷位置合わせマーク２２を伴って印刷されている。
本実施形態では、印刷シート１とは仕上がりサイズに裁断される前の印刷物を指しており、したがって、以下の説明では印刷物ともいう。
また、本実施形態の説明では、均一な厚さの印刷インキ皮膜で覆われた部分又は均一な厚さの印刷インキで塗りつぶされた部分を「べた状に印刷された部分」という。
【００１４】
第一の図柄１１及び第二の図柄１２は、印刷された後、乾燥した状態で反射濃度が測定されるが、何れも、反射濃度計によって測定される。
反射濃度は、印刷されたべた部分の印刷面に光を当てその反射光の強さで測定する。
入射光束をＩ0、反射光束をＩとすると、反射濃度Ｄは、−Ｌｏｇ（Ｉ／Ｉ0）で計算
される。印刷されたインキの色によって定められたフィルタ（ラッテン番号で分類されたフィルタ）を使用して測定する。
印刷物で反射濃度が０．３を下回ると目視では判別し難い範囲とされ、反射濃度が、０．１では存在が判別できない。
本実施形態で、第一の図柄１１の対象となるのは反射濃度が０．４以下の色の図柄となる。
【００１５】
第一の図柄の印刷位置合わせマーク２１は、所定の面積を有するべた状に印刷された円形又は方形（本実施形態では正方形、長方形などの四角形をいう）の形状を成し、第二の図柄の印刷位置合わせマーク２２は第一の図柄と第二の図柄が正しい位置に印刷されたときに第一の図柄の印刷位置合わせマーク２１の輪郭に重なるように形成される。
第二の図柄の印刷位置合わせマーク２２は、第一の図柄の印刷位置合わせマーク２１の輪郭の一部に重なるように形成されてもよく、その場合は、第一の図柄の印刷位置合わせマーク２１の輪郭の半分以上に重なるように形成されることが好ましい。
【００１６】
第一の図柄１１を複数有する場合、すなわち、反射濃度が薄い色調、又は機能の異なるインキを二以上必要とする場合は、前述の第一の図柄１１の印刷位置合わせマークと第二の図柄１２の印刷位置合わせマークの組合せを複数形成する。
第一の図柄の印刷位置合わせマークと第二の図柄の印刷位置合わせマークの形状、使用方法は前述と同様であるので、詳細な説明は省略する。
【００１７】
印刷物が第二の図柄を複数有する場合、すなわち、反射濃度が濃い色調のインキを二以上必要とする場合は、反射濃度が濃いインキによる図柄の印刷位置合わせマークを第一、第二の図柄の印刷位置合わせマーク２１、２２とは別に第二の図柄同士の印刷位置合わせマーク３として、第一の図柄（第二の図柄）の印刷位置合わせマークの近くに、第一の図柄（第二の図柄）の印刷位置合わせマークに重ならないように形成する。第二の図柄同士の印刷位置合わせマーク３は、従来から使用されている前述の十字形、T字形などの印刷位置合わせマークでよい。
【００１８】
第二の図柄同士の印刷位置合わせマーク３は、反射濃度が濃い第二の図柄それぞれに共通の形状で、印刷シート１の四隅に印刷されている断裁仕上げマーク４の断ち落としエリア内に印刷される。
第二の図柄同士の印刷位置合わせマーク３は、第一の図柄と第二の図柄が正しい位置に印刷された場合は、重ねられた罫線で構成された一個の印刷位置合わせマークとして視認される。
【００１９】
図１において、印刷シート１の印刷面は白色で、第二の図柄１２としてワインのボトルが、図示しないが、濃い緑色で印刷され、ボトルの底部は黒色、ボトルの注ぎ口には濃い赤系統の色の紙が貼付された状態が印刷されている。
第二の図柄の横に、第二の図柄の一部であるワイングラスがグレイ色で、第一の図柄１１であるワインが薄い黄色で印刷されている。
【００２０】
また、印刷シート１の断裁仕上げマークの断ち落としエリア内（図示せず）には第一の図柄の印刷位置合わせマーク２１と第二の図柄の印刷位置合わせマーク２２、第二の図柄同士の印刷位置合わせマーク３、断裁仕上げマーク４が印刷されている。
第一の図柄の印刷位置合わせマーク２１は黄色で、第二の図柄の印刷位置合わせマーク２２は緑色で、第二の図柄同士の印刷位置合わせマーク３は、緑、黒、赤系統の三色で印刷されている。また、断裁仕上げマーク４も第二の図柄同士の印刷位置合わせマーク３と同色、または、第二の図柄の何れかの印刷色で印刷されている。
【００２１】
図２を参照して、本実施形態の印刷位置合わせマークについて説明する。
図２（ａ）は、真円で形成された第一の図柄の印刷位置合わせマーク２１（斜線部分）と第二の図柄の印刷位置合わせマーク２２（第一の図柄の印刷位置合わせマーク２１の輪郭に重ねられた真円部分）である。
図２（ｂ）は、真円で形成された第一の図柄の印刷位置合わせマーク２１（斜線部分）と半円で形成された第二の図柄の印刷位置合わせマーク２２ｂ（第一の図柄の印刷位置合わせマーク２１の輪郭に重ねられた半円部分）である。
図２（ｃ）は、楕円で形成された第一の図柄の印刷位置合わせマーク２１０（斜線部分）と第二の図柄の印刷位置合わせマーク２２０（第一の図柄の印刷位置合わせマーク２１０の輪郭に重ねられた楕円部分）である。
図２（ａ）、（ｂ）、（ｃ）の下に併設された十字の印刷位置合わせマークは、第二の図柄同士の印刷位置合わせマーク３である。
例えば、図２（ａ）の第一の図柄の印刷位置合わせマーク２１及び第二の図柄の印刷位置合わせマーク２２と、第二の図柄同士の印刷位置合わせマーク３、の位置関係は、第一の図柄印刷位置合わせマーク（または、第二の図柄印刷位置合わせマーク）の近く、具体的には、第一、第二の図柄の印刷位置合わせマーク２１、２２と、第二の図柄同士の印刷位置合わせマーク３が重ならない程度の至近距離に形成されていれば、縦、横、斜め、上下逆、何れでもよい。図２（ｂ）、（ｃ）についても同様である。
【００２２】
図２（ｄ）は、正方形の第一の図柄の印刷位置合わせマーク２３（斜線部分）と第二の図柄の印刷位置合わせマーク２４（第一の図柄の印刷位置合わせマーク２３の輪郭に重ねられた正方形部分）である。
また、図２（ｅ）は、正方形の第一の図柄の印刷位置合わせマーク２３（斜線部分）と第二の図柄の印刷位置合わせマーク２４ｂ（第一の図柄の印刷位置合わせマーク２３の輪郭に重ねられた正方形の一方が欠けた正方形部分）である。
また、図２（ｆ）は、長方形の第一の図柄の印刷位置合わせマーク２３０（斜線部分）と第二の図柄の印刷位置合わせマーク２４０（第一の図柄の印刷位置合わせマーク２３の輪郭に重ねられた長方形部分）である。
図２（ｄ）、（ｅ）、（ｆ）の下に併設された十字の印刷位置合わせマークは、第二の図柄同士の印刷位置合わせマーク３である。
前述同様、例えば、図２（ｄ）の第一の図柄の印刷位置合わせマーク２３及び第二の図柄の印刷位置合わせマーク２４と、第二の図柄同士の印刷位置合わせマーク３の位置関係は、第一の図柄印刷位置合わせマーク（または、第二の図柄印刷位置合わせマーク）の近くで、互いが重ならないように形成されていれば、縦、横、斜め、上下逆、何れでもよい。図２（ｅ）、（ｆ）についても同様である。
【００２３】
また、図２（ａ）において、真円で形成された第一の図柄の印刷位置合わせマーク２１は、直径３ｍｍ〜１０ｍｍ、好ましくは５ｍｍ程度で、第二の図柄の印刷位置合わせマーク２２は、線幅が０．１ｍｍ〜０．５ｍｍ程度が好ましい。
印刷された直後の第一の図柄の印刷位置合わせマーク２１は表面が光沢を帯びており、その輪郭に印刷された第二の図柄の印刷位置合わせマーク２２が極めて視認しやすい状態になっている。
【００２４】
（実施例）
図１を参照して実施例について説明する。
印刷シートに１には、８６ｇ／ｍ2の上質紙を使用した。
印刷はオフセット方式により印刷した。
図柄は、緑、赤、墨による第二の図柄と、クリーム色による第一の図柄の構成とし、何れも紫外線硬化型のインキを使用した。
第二の図柄は網点による濃淡表現とし、第二の図柄はべた表現とした。
第一の図柄の印刷位置合わせマーク２１の真円の直径を５ｍｍとし、第二の図柄の印刷位置合わせマーク２２の線幅を０．２ｍｍとした。
第一の図柄の印刷位置合わせマーク２１の反射濃度はインキ乾燥状態で、０．４０（青色系、Ｅフィルタ使用）であった。また、第二の図柄の印刷位置合わせマーク２２の反射濃度はインキ乾燥状態で、０．７０（赤色系、Ａフィルタ使用）であった。何れも、マクベス  ＰＣＭＩＩ濃度計を使用して測定した。
印刷時の第一の図柄と第二の図柄の位置合わせは良好に行われた。
【産業上の利用可能性】
【００２５】
反射濃度が薄いインキが使用され、細い罫線による印刷位置合わせマークでは目視管理し難い印刷物に好適に使用できる。
【符号の説明】
【００２６】
１      印刷シート（印刷物）
３      第二の図柄同士の印刷位置合わせマーク
４      断裁仕上げマーク
１１    第一の図柄
１２    第二の図柄
２１、２３    第一の図柄の印刷位置合わせマーク
２２、２４、２２ｂ、２４ｂ、２２０、２４０  第二の図柄の印刷位置合わせマーク
３０    十字マーク
３００  Ｔ字マーク
３０００  「キ字」マーク
【図１】
2014058065.tif 000003
【図２】
2014058065.tif 000004
【図３】
2014058065.tif 000005